(57)【特許請求の範囲】
【請求項１】
熱かしめによりレンズを固定する第１の熱かしめ部を有する樹脂製の第１の鏡筒本体にレンズを固定して成る第１レンズ鏡筒と、熱かしめによりレンズを固定する第２の熱かしめ部を有する樹脂製の第２の鏡筒本体にレンズを固定して成る第２レンズ鏡筒とを備えたレンズ鏡筒であって、
前記第１の鏡筒本体は、前記第１の熱かしめ部と反対側に、前記第２の鏡筒本体は、前記第２の熱かしめ部と反対側に、それぞれ、他方の鏡筒本体と嵌合する嵌合部を有し、
前記第１レンズ鏡筒および前記第２レンズ鏡筒の少なくとも一方では、それに属する嵌合部が、熱かしめの際、光軸に垂直な方向の位置決めを行う機能を有することを特徴とするレンズ鏡筒。
【請求項２】
熱かしめによりレンズを固定する第１の熱かしめ部を有する樹脂製の第１の鏡筒本体にレンズを固定して成る第１レンズ鏡筒と、熱かしめによりレンズを固定する第２の熱かしめ部を有する樹脂製の第２の鏡筒本体にレンズを固定して成る第２レンズ鏡筒とを備え、前記第１レンズ鏡筒に対し前記第２レンズ鏡筒が相対的に光軸方向に移動し得るレンズ鏡筒であって、
前記第１の鏡筒本体は、前記第１の熱かしめ部と反対側に、前記第２の鏡筒本体は、前記第２の熱かしめ部と反対側に、それぞれ、他方の鏡筒本体と嵌合し、かつ同軸を保持しつつ光軸方向に摺動し得る嵌合部を有し、
前記第１レンズ鏡筒および前記第２レンズ鏡筒の少なくとも一方では、それに属する嵌合部が、熱かしめの際、光軸に垂直な方向の位置決めを行う機能を有することを特徴とするレンズ鏡筒。
【請求項３】
前記第１レンズ鏡筒および前記第２レンズ鏡筒の少なくとも一方は、光軸方向の位置決めを行う位置決め部材を有する請求項１または２に記載のレンズ鏡筒。
【請求項４】
前記第１レンズ鏡筒および前記第２レンズ鏡筒の少なくとも一方は、それに属する嵌合部と熱かしめ部の間に、光軸方向の位置決めを行う位置決め部材を有する請求項１または２に記載のレンズ鏡筒。
【請求項５】
前記第１レンズ鏡筒および前記第２レンズ鏡筒の少なくとも一方は、それに属する位置決め部材と熱かしめ部の間に、光軸に垂直な方向の位置決めをその外周面にて行う位置決め部を有し、該位置決め部の外径が前記熱かしめ部のかしめ後の最大外径以上である請求項３または４に記載のレンズ鏡筒。
【発明の詳細な説明】
【０００１】
【発明の属する技術分野】
本発明は、レンズ鏡筒に関する。
【０００２】
【従来の技術】
鏡筒本体にレンズを固定して成る各種レンズ鏡筒（例えば、撮影レンズが固定されているカメラのレンズ鏡筒等）が知られている。
【０００３】
レンズ鏡筒は、外径が一定の鏡筒本体を有している。従来のレンズ鏡筒は、この鏡筒本体に、接着剤等による接着や、ねじ込み式の押え環により、レンズが固定される。
【０００４】
しかしながら、接着剤でレンズを接着、固定する場合には、接着剤が流れ込むことがあり、レンズ鏡筒の組み立て（レンズの組み付け）を慎重に行う必要があるので、組み立てに手間がかかる。また、接着剤の硬化に時間を要するので、組み立てに長時間かかるという欠点がある。
【０００５】
また、押え環でレンズを固定する場合には、組み立て操作が煩雑である（操作性が悪い）ので、組み立てに手間がかかり、また、組み立てに長時間かかるという欠点がある。
【０００６】
【発明が解決しようとする課題】
そこで、容易に、かつ短時間で組み立てる方法として、熱かしめによりレンズを固定する方法が考えられる。
【０００７】
図１１および図１２は、前記熱かしめによりレンズが固定されているレンズ鏡筒を示す断面図である。なお、図１１には、前群レンズ鏡筒２００と後群レンズ鏡筒３００とが接近した状態を示し、図１２には、前群レンズ鏡筒２００と後群レンズ鏡筒３００とが離間した状態を示す。
【０００８】
これらの図に示すように、レンズ鏡筒１００は、移動可能に設置された前群レンズ鏡筒２００および後群レンズ鏡筒３００で構成されている。
【０００９】
前群レンズ鏡筒２００は、フランジ２５０が形成されている鏡筒本体２１０を有している。この鏡筒本体２１０内には、レンズ２２１、２２２および２２３で構成された前群レンズ２２０が固定的に設置されている。
【００１０】
この場合、レンズ２２１は、一端側の熱かしめ部２３０で熱かしめにより固定され、レンズ２２１は、他端側の熱かしめ部２４０で熱かしめにより固定されている。
【００１１】
また、フランジ２５０には、シャフト４１０および４２０がそれぞれ挿通されている。
【００１２】
後群レンズ鏡筒３００は、フランジ３５０が形成されている鏡筒本体３１０を有している。この鏡筒本体３１０内には、レンズ３２１、３２２および３２３で構成された後群レンズ３２０が固定的に設置されている。
【００１３】
この場合、レンズ３２１は、一端側の熱かしめ部３３０で熱かしめにより固定され、レンズ３２３は、他端側の熱かしめ部３４０で熱かしめにより固定されている。
【００１４】
また、フランジ３５０には、シャフト４１０および４２０がそれぞれ挿通されている。
【００１５】
これら前群レンズ鏡筒２００および後群レンズ鏡筒３００は、それぞれ、図示しないカム機構により、シャフト４１０および４２０に沿って移動し得るようになっている。
【００１６】
しかしながら、前記レンズ鏡筒１００では、前群レンズ鏡筒２００と後群レンズ鏡筒３００とが互いに独立移動するので、それらの同軸性が悪いという欠点がある。
【００１７】
本発明の目的は、容易に、かつ短時間で組み立てることができ、同軸性の良いレンズ鏡筒を提供することにある。
【００１８】
【課題を解決するための手段】
このような目的は、下記（１）〜（５）の本発明により達成される。
【００１９】
（１）  熱かしめによりレンズを固定する第１の熱かしめ部を有する樹脂製の第１の鏡筒本体にレンズを固定して成る第１レンズ鏡筒と、熱かしめによりレンズを固定する第２の熱かしめ部を有する樹脂製の第２の鏡筒本体にレンズを固定して成る第２レンズ鏡筒とを備えたレンズ鏡筒であって、
前記第１の鏡筒本体は、前記第１の熱かしめ部と反対側に、前記第２の鏡筒本体は、前記第２の熱かしめ部と反対側に、それぞれ、他方の鏡筒本体と嵌合する嵌合部を有し、
前記第１レンズ鏡筒および前記第２レンズ鏡筒の少なくとも一方では、それに属する嵌合部が、熱かしめの際、光軸に垂直な方向の位置決めを行う機能を有することを特徴とするレンズ鏡筒。
【００２０】
（２）  熱かしめによりレンズを固定する第１の熱かしめ部を有する樹脂製の第１の鏡筒本体にレンズを固定して成る第１レンズ鏡筒と、熱かしめによりレンズを固定する第２の熱かしめ部を有する樹脂製の第２の鏡筒本体にレンズを固定して成る第２レンズ鏡筒とを備え、前記第１レンズ鏡筒に対し前記第２レンズ鏡筒が相対的に光軸方向に移動し得るレンズ鏡筒であって、
前記第１の鏡筒本体は、前記第１の熱かしめ部と反対側に、前記第２の鏡筒本体は、前記第２の熱かしめ部と反対側に、それぞれ、他方の鏡筒本体と嵌合し、かつ同軸を保持しつつ光軸方向に摺動し得る嵌合部を有し、
前記第１レンズ鏡筒および前記第２レンズ鏡筒の少なくとも一方では、それに属する嵌合部が、熱かしめの際、光軸に垂直な方向の位置決めを行う機能を有することを特徴とするレンズ鏡筒。
【００２２】
（３）  前記第１レンズ鏡筒および前記第２レンズ鏡筒の少なくとも一方は、光軸方向の位置決めを行う位置決め部材を有する上記（１）または（２）に記載のレンズ鏡筒。
【００２３】
（４）  前記第１レンズ鏡筒および前記第２レンズ鏡筒の少なくとも一方は、それに属する嵌合部と熱かしめ部の間に、光軸方向の位置決めを行う位置決め部材を有する上記（１）または（２）に記載のレンズ鏡筒。
【００２４】
（５）  前記第１レンズ鏡筒および前記第２レンズ鏡筒の少なくとも一方は、それに属する位置決め部材と熱かしめ部の間に、光軸に垂直な方向の位置決めをその外周面にて行う位置決め部を有し、該位置決め部の外径が前記熱かしめ部のかしめ後の最大外径以上である上記（３）または（４）に記載のレンズ鏡筒。
【００２５】
【発明の実施の形態】
以下、本発明のレンズ鏡筒を添付図面に示す好適実施例に基づいて詳細に説明する。
【００２６】
図１および図２は、本発明のレンズ鏡筒をデジタルスチルカメラのズームレンズ（撮像レンズ）のレンズ鏡筒に適用したときの実施例を示す断面図である。図１には、前群レンズ鏡筒２の前群レンズ２０と後群レンズ鏡筒３の後群レンズ３０とが接近した状態を示し、図２には、前群レンズ鏡筒２の前群レンズ２０と後群レンズ鏡筒３の後群レンズ３０とが離間した状態を示す。
【００２７】
なお、説明の都合上、前群レンズ鏡筒２では、図１および図２中左側を「先端」、右側を「基端」とする。また、後群レンズ鏡筒３では、図１および図２中右側を「先端」、左側を「基端」とする。
【００２８】
これらの図に示すように、レンズ鏡筒１は、前群レンズ鏡筒（第１レンズ鏡筒）２と、後群レンズ鏡筒（第２レンズ鏡筒）３とで構成されている。
【００２９】
前群レンズ鏡筒２は、樹脂製の鏡筒本体（第１の鏡筒本体）５を有している。この鏡筒本体５は、熱かしめ部（第１の熱かしめ部）５１と、撮像光学系（レンズ２１、２２、２３、３１、３２および３３）の光軸４に垂直な方向の位置決めを行う位置決め部５２と、光軸４方向の位置決めを行うフランジ（位置決め部材）５３と、後述する後群レンズ鏡筒３の嵌合部６４と嵌合し、かつ嵌合部６４に対して光軸４方向に摺動し得る嵌合部５４とで構成されている。
【００３０】
この場合、先端側（図１中左側）から基端側（図１中右側）に向って、熱かしめ部５１、位置決め部５２、フランジ５３、嵌合部５４の順に配置されている。すなわち、熱かしめ部５１の反対側に嵌合部５４が配置され、熱かしめ部５１とフランジ５３との間に位置決め部５２が配置され、位置決め部５２と嵌合部５４との間にフランジ５３が配置されている。
【００３１】
この鏡筒本体５内には、レンズ２１、２２および２３で構成される前群レンズ２０が固定的に設置されている。レンズ２１とレンズ２２の間には、間隔リング（スペーサ）２４が設置され、レンズ２２とレンズ２３の間には、間隔リング（スペーサ）２５が設置されている。これら間隔リング２４および２５により、レンズ間の間隔が一定に保持される。
【００３２】
鏡筒本体５の嵌合部５４の内径（直径）および外径（直径）は、それぞれ、全長に渡ってほぼ一定である。
【００３３】
この嵌合部５４は、後述する後群レンズ鏡筒３の嵌合部６４の外周側に位置している。そして、嵌合部５４の内周面５４２と嵌合部６４の外周面６４１とが隙間なく密着している。但し、嵌合部５４の内周面５４２と嵌合部６４の外周面６４１とが摺動し得るようになっている。
【００３４】
これら嵌合部５４および６４は、嵌合部５４と嵌合部６４とが嵌合しているとき、前群レンズ鏡筒２と後群レンズ鏡筒３とが同軸となるように、すなわち、前群レンズ２０の光軸と後群レンズ３０の光軸とが一致するように（光軸４が１本の直線となるように）構成されている。
【００３５】
また、嵌合部５４は、後述するように、かしめ（熱かしめ）の際、光軸４に垂直な方向の位置決めを行う機能を有する。
【００３６】
位置決め部５２の外径（直径）は、全長に渡ってほぼ一定である。
この位置決め部５２の外径は、熱かしめ部５１のかしめ（熱かしめ）後の最大外径（最大直径）以上になるように設定される。
【００３７】
熱かしめ部５１は、先端側に、熱かしめにより変形した熱変形部５１１を有している。この熱変形部５１１でレンズ２１が係止（固定）されている。
【００３８】
また、熱変形部５１１は、テーパ状になっている。すなわち、熱変形部５１１には、基端側から先端（図１中左側の端面）に向って外径が漸減する傾斜面５１３が形成されている。
【００３９】
また、熱変形部５１１の基端側には、突出部５１２が形成されている。なお、この突出部５１２の外径が、熱かしめ部５１のかしめ後の最大外径である。
【００４０】
熱かしめ部５１の変形前の外径（直径）をφA1、位置決め部５２の外径（直径）をφB1としたとき、φA1／φB1は、０．５〜０．９７程度が好ましく、０．８〜０．９７程度がより好ましく、０．９〜０．９７程度がさらに好ましい。
【００４１】
φA1／φB1が前記範囲未満であると、レンズ鏡筒１の大径化を招き、φA1／φB1が前記範囲を超えると、熱かしめの条件等によっては、突出部５１２が位置決め部５２の外周面５２１より外周側に突出してしまうことがある。
【００４２】
次に、後群レンズ鏡筒３を説明する。
後群レンズ鏡筒３は、樹脂製の鏡筒本体（第２の鏡筒本体）６を有している。この鏡筒本体６は、熱かしめ部（第２の熱かしめ部）６１と、光軸４に垂直な方向の位置決めを行う位置決め部６２と、光軸４の方向の位置決めを行うフランジ（位置決め部材）６３と、前述した前群レンズ鏡筒２の嵌合部５４と嵌合し、かつ嵌合部５４に対して光軸４方向に摺動し得る嵌合部６４とで構成されている。
【００４３】
この場合、先端側（図１中右側）から基端側（図１中左側）に向って、熱かしめ部６１、位置決め部６２、フランジ６３、嵌合部６４の順に配置されている。すなわち、熱かしめ部６１の反対側に嵌合部６４が配置され、熱かしめ部６１とフランジ６３との間に位置決め部６２が配置され、位置決め部６２と嵌合部６４との間にフランジ６３が配置されている。
【００４４】
この鏡筒本体６内には、レンズ３１、３２および３３で構成される後群レンズ３０が固定的に設置されている。レンズ３１とレンズ３２の間には、間隔リング（スペーサ）３４が設置され、レンズ３２とレンズ３３の間には、間隔リング（スペーサ）３５が設置されている。これら間隔リング３４および３５により、レンズ間の間隔が一定に保持される。
【００４５】
鏡筒本体６の嵌合部６４の外径（直径）は、全長に渡ってほぼ一定である。
また、この嵌合部６４は、後述するように、かしめ（熱かしめ）の際、光軸４に垂直な方向の位置決めを行う機能を有する。
【００４６】
位置決め部６２の外径（直径）は、全長に渡ってほぼ一定である。
この位置決め部６２の外径は、熱かしめ部６１のかしめ（熱かしめ）後の最大外径（最大直径）以上になるように設定される。
【００４７】
熱かしめ部６１は、先端側に、熱かしめにより変形した熱変形部６１１を有している。この熱変形部６１１でレンズ３１が係止（固定）されている。
【００４８】
また、熱変形部６１１は、テーパ状になっている。すなわち、熱変形部６１１には、基端側から先端（図１中右側の端面）に向って外径が漸減する傾斜面６１３が形成されている。
【００４９】
また、熱変形部６１１の基端側には、突出部６１２が形成されている。なお、この突出部６１２の外径が、熱かしめ部６１のかしめ後の最大外径である。
【００５０】
熱かしめ部６１の変形前の外径（直径）をφA2、位置決め部６２の外径（直径）をφB2としたとき、φA2／φB2は、前述した前群レンズ鏡筒２の場合と同様の理由から、０．５〜０．９７程度が好ましく、０．８〜０．９７程度がより好ましく、０．９〜０．９７程度がさらに好ましい。
【００５１】
前述した鏡筒本体５および６の構成材料としては、熱かしめに適した樹脂材料が好ましく、例えば、ポリカーボネート（ＰＣ：Poly Carbonate）、ポリメタクリル酸メチル（ＰＭＭＡ）、ポリエチレン、ポリプロピレン、ポリ塩化ビニル、ポリスチレン、アクリロニトリル−ブタジエン−スチレン（ＡＢＳ）等の各種樹脂材料が挙げられる。この場合、熱変形温度が１２０〜１４０℃程度の樹脂材料が好ましい。
【００５２】
次に、レンズ鏡筒１の組み立て、すなわち、鏡筒本体５および６へのレンズの取り付け（固定）の手順を説明する。
【００５３】
図３、図４、図５、図６、図７、図８、図９および図１０は、レンズ鏡筒１を組み立てるときの工程を示す図である。以下、これらの図に基づいて説明する。
【００５４】
まず、図３に示すように、鏡筒本体５に、レンズ２３、間隔リング２５、レンズ２２、間隔リング２４およびレンズ２１をこの順序で挿入（装填）する。
【００５５】
そして、この鏡筒本体５を治具８１に設置する。すなわち、鏡筒本体５の嵌合部５４を治具８１の孔部８１１に挿入する。この場合、フランジ５３の面（当て付け面）５３１が治具８１の面８１２に当接し、これにより光軸４方向の位置決めがなされる。また、嵌合部５４の外周面５４１が治具８１の内周面８１３に当接し、これにより光軸４に垂直な方向の位置決めがなされる。
【００５６】
次に、図４に示すように、治具８２を下降させ、この治具８２を鏡筒本体５の熱かしめ部５１の熱変形部５１１に被せ、治具８２により熱変形部５１１を加熱する。
【００５７】
これにより、図５に示すように、熱変形部５１１が変形し、レンズ２１〜２３が固定される（熱かしめによりレンズ２１〜２３が固定される）。
【００５８】
この熱かしめの条件は、特に限定されないが、通常、１９０〜２３０℃程度で、４〜１０秒程度が好ましく、２００〜２２０℃程度で、５〜７秒程度がより好ましい。
【００５９】
この熱かしめにより、熱変形部５１１の基端側（図１中右側）に、突出部５１２が形成されるが、この突出部５１２の外径は、位置決め部５２の外径φB1以下となる。
【００６０】
なお、熱変形部５１１には、傾斜面５１３が形成されているので、前記熱かしめにより、容易かつ確実に、熱変形部５１１を図１に示す形状に変形させることができ、レンズ２１〜２３を固定することができる。
【００６１】
次に、図６に示すように、治具８２を上昇させ、この治具８２を鏡筒本体５の熱かしめ部５１の熱変形部５１１から離間させる。このようにして、前群レンズ鏡筒２が得られる。
【００６２】
次に、図７に示すように、鏡筒本体６に、レンズ３３、間隔リング３５、レンズ３２、間隔リング３４およびレンズ３１をこの順序で挿入（装填）する。
【００６３】
そして、この鏡筒本体６を治具８３に設置する。すなわち、鏡筒本体６の嵌合部６４を治具８３の孔部８３１に挿入する。この場合、フランジ６３の面（当て付け面）６３１が治具８３の面８３２に当接し、これにより光軸４方向の位置決めがなされる。また、嵌合部６４の外周面６４１が治具８３の内周面８３３に当接し、これにより光軸４に垂直な方向の位置決めがなされる。
【００６４】
次に、図８に示すように、治具８４を下降させ、この治具８４を鏡筒本体６の熱かしめ部６１の熱変形部６１１に被せ、治具８４により熱変形部６１１を加熱する。この熱かしめの条件は、前述した前群レンズ鏡筒２の場合と同様である。
【００６５】
これにより、図９に示すように、熱変形部６１１が変形し、レンズ３１〜３３が固定される（熱かしめによりレンズ３１〜３３が固定される）。
【００６６】
この熱かしめにより、熱変形部６１１の基端側（図１中左側）に、突出部６１２が形成されるが、この突出部６１２の外径は、位置決め部６２の外径φB2以下となる。
【００６７】
なお、熱変形部６１１には、傾斜面６１３が形成されているので、前記熱かしめにより、容易かつ確実に、熱変形部６１１を図１に示す形状に変形させることができ、レンズ３１〜３３を固定することができる。
【００６８】
次に、図１０に示すように、治具８４を上昇させ、この治具８４を鏡筒本体６の熱かしめ部６１の熱変形部６１１から離間させる。このようにして、後群レンズ鏡筒３が得られる。
【００６９】
図１に示すように、この後群レンズ鏡筒３の嵌合部６４は、前記前群レンズ鏡筒２の嵌合部５４内に挿入される。すなわち、前記前群レンズ鏡筒２と後群レンズ鏡筒３とは、嵌合部５４および嵌合部６４で嵌合される。
【００７０】
このようにして組み立てられたレンズ鏡筒１は、図示しないデジタルスチルカメラ本体（カメラ本体）に組み付けられる。前群レンズ鏡筒２は、カメラ本体に対し固定的に設置され、後群レンズ鏡筒３は、カメラ本体に対し、光軸４方向に移動可能に設置される。
【００７１】
このレンズ鏡筒１のカメラ本体への組み付けの際は、フランジ５３の面５３１または面５３２がカメラ本体に当接し、これにより光軸４方向の位置決めがなされる。また、位置決め部５２の外周面５２１がカメラ本体に当接し、これにより光軸４に垂直な方向の位置決めがなされる。
【００７２】
この場合、位置決め部５２の外径φB1が熱かしめ部５１の突出部５１２の外径以上であり、位置決め部６２の外径φB2が熱かしめ部６１の突出部６１２の外径以上であるので、突出部５１２や突出部６１２が邪魔にならず、容易かつ確実に、しかも精度良く、レンズ鏡筒１をカメラ本体に組み付けることができる。
【００７３】
また、前群レンズ鏡筒２の鏡筒本体５と後群レンズ鏡筒３の鏡筒本体６とを嵌合させるので、容易かつ確実に、これら前群レンズ鏡筒２と後群レンズ鏡筒３とを同軸にすることができる。
【００７４】
このレンズ鏡筒１の後群レンズ鏡筒３は、図示しないカム機構により、光軸４方向に移動する。すなわち、図示しない後群レンズ鏡筒駆動用のモータが所定方向に回転すると、図１に示すように、後群レンズ鏡筒３は、前記カム機構により、内周面５４２に沿って図１中左側に移動し、前群レンズ鏡筒２の前群レンズ２０と後群レンズ鏡筒３の後群レンズ３０とが接近する。
【００７５】
また、前記後群レンズ鏡筒駆動用のモータが前記と逆方向に回転すると、図２に示すように、後群レンズ鏡筒３は、前記カム機構により、内周面５４２に沿って図１中右側に移動し、前群レンズ鏡筒２の前群レンズ２０と後群レンズ鏡筒３の後群レンズ３０とが離間する。
【００７６】
前述したように、このレンズ鏡筒１は、鏡筒本体５の嵌合部５４と鏡筒本体６の嵌合部６４とが嵌合しているとき、前群レンズ鏡筒２と後群レンズ鏡筒３とが同軸となるように構成されているので、前記後群レンズ鏡筒３は、同軸を保持しつつ光軸４方向に移動する。
【００７７】
以上説明したように、このレンズ鏡筒１によれば、鏡筒本体５は、熱かしめ部５１と反対側に嵌合部５４を有し、鏡筒本体６は、熱かしめ部６１と反対側に嵌合部６４を有しているので、熱かしめにより嵌合部５４および６４を変形させることなくレンズを固定することができる。これにより、容易かつ確実に、前群レンズ鏡筒２の鏡筒本体５と後群レンズ鏡筒３の鏡筒本体６とを嵌合させることができ、よって、両レンズ鏡筒の同軸性が良い。
【００７８】
そして、このレンズ鏡筒１では、鏡筒本体５と鏡筒本体６とが嵌合した状態で後群レンズ鏡筒３が移動するので、両レンズ鏡筒の同軸性が良い。
【００７９】
また、嵌合部５４および６４は、それぞれ、光軸４に垂直な方向の位置決めを行う機能を有するので、熱かしめの際、これら嵌合部５４および６４により、鏡筒本体５および６を熱かしめ用の治具に対して位置決めすることができる。
【００８０】
また、鏡筒本体５および６が樹脂で形成されるので、成形性が良く、このため比較的小さく、複雑な形状のものでも容易に形成することができる。
【００８１】
また、このレンズ鏡筒１では、熱かしめによりレンズが固定されるので、容易に、かつ短時間でレンズ鏡筒１を組み立てることができる。
【００８２】
なお、本発明のレンズ鏡筒は、ズームレンズのレンズ鏡筒に限らず、この他、例えば、自動焦点合わせ（ＡＦ）の焦点合わせレンズ等のレンズ鏡筒に適用することができる。
【００８３】
また、本発明のレンズ鏡筒は、デジタルスチルカメラの撮像レンズ（撮影レンズ）のレンズ鏡筒に限らず、この他、例えば、ビデオカメラ、一眼レフレックスカメラ（一眼レフカメラ）、レンズシャッター式カメラ（コンパクトカメラ）等の撮像レンズ（撮影レンズ）のレンズ鏡筒や、その他各種光学機器のレンズ鏡筒に適用することができる。
【００８４】
以上、本発明のレンズ鏡筒を、図示の実施例に基づいて説明したが、本発明はこれに限定されるものではなく、各部の構成は、同様の機能を有する任意の構成のものに置換することができる。
【００８５】
例えば、前記実施例では、第１レンズ鏡筒が固定的に設置され、第２レンズ鏡筒がカメラ本体に対し移動可能に設置されるが、本発明では、これに限らず、第２レンズ鏡筒を固定的に設置し、第１レンズ鏡筒をカメラ本体に対し移動可能に設置してもよく、また、第１レンズ鏡筒および第２レンズ鏡筒をそれぞれカメラ本体に対し移動可能に設置してもよい。
【００８６】
第２レンズ鏡筒を固定的に設置し、第１レンズ鏡筒をカメラ本体に対し移動可能に設置する場合には、例えば、第２レンズ鏡筒の位置決め部材（フランジ６３の面６３１または６３２）により光軸方向の位置決めがなされ、第２レンズ鏡筒の位置決め部（位置決め部６２の外周面６２１）により光軸に垂直な方向の位置決めがなされる。
【００８７】
また、本発明では、第１レンズ鏡筒（第１の鏡筒本体）に対して第２レンズ鏡筒（第２の鏡筒本体）が相対的に移動しないように構成してもよい。
【００８８】
【発明の効果】
以上説明したように、本発明のレンズ鏡筒によれば、第１の鏡筒本体は、第１の熱かしめ部と反対側に、第２の鏡筒本体は、第２の熱かしめ部と反対側に、それぞれ、他方の鏡筒本体と嵌合する嵌合部を有するので、熱かしめにより嵌合部を変形させることなくレンズを固定することができる。これにより、容易かつ確実に、第１のレンズ鏡筒本体と第２のレンズ鏡筒本体とを嵌合させることができ、よって、両レンズ鏡筒の同軸性が良い。
【００８９】
特に、第１の鏡筒本体と第２の鏡筒本体とが嵌合した状態で、第１レンズ鏡筒に対し第２レンズ鏡筒が相対的に光軸方向に移動し得るので、第１レンズ鏡筒と第２レンズ鏡筒の位置関係によらず、両レンズ鏡筒の同軸を保持することができる。
【００９０】
そして、本発明のレンズ鏡筒では、熱かしめによりレンズが固定されるので、容易に、かつ短時間でレンズ鏡筒を組み立てることができる。
【００９１】
また、位置決め部や位置決め手段を有することにより、レンズ鏡筒を他の部材に組み付けるときの位置合わせを容易かつ正確に行うことができる。
【００９２】
また、第１レンズ鏡筒および第２レンズ鏡筒の少なくとも一方が、それに属する位置決め部材と熱かしめ部の間に、光軸に垂直な方向の位置決めをその外周面にて行う位置決め部を有し、該位置決め部の外径が前記熱かしめ部のかしめ後の最大外径以上である場合には、熱かしめによる変形部分が邪魔にならず、容易かつ確実に、レンズ鏡筒を他の部材に組み付けることができる。そして、この際、レンズ鏡筒を前記他の部材に対して位置決めすることができる。
【図面の簡単な説明】
【図１】本発明のレンズ鏡筒をデジタルスチルカメラのズームレンズ（撮像レンズ）のレンズ鏡筒に適用したときの実施例（前群レンズ鏡筒の前群レンズと後群レンズ鏡筒の後群レンズとが接近した状態）を示す断面図である。
【図２】本発明のレンズ鏡筒をデジタルスチルカメラのズームレンズ（撮像レンズ）のレンズ鏡筒に適用したときの実施例（前群レンズ鏡筒の前群レンズと後群レンズ鏡筒の後群レンズとが離間した状態）を示す断面図である。
【図３】図１に示すレンズ鏡筒を組み立てるときの工程を示す図である。
【図４】図１に示すレンズ鏡筒を組み立てるときの工程を示す図である。
【図５】図１に示すレンズ鏡筒を組み立てるときの工程を示す図である。
【図６】図１に示すレンズ鏡筒を組み立てるときの工程を示す図である。
【図７】図１に示すレンズ鏡筒を組み立てるときの工程を示す図である。
【図８】図１に示すレンズ鏡筒を組み立てるときの工程を示す図である。
【図９】図１に示すレンズ鏡筒を組み立てるときの工程を示す図である。
【図１０】図１に示すレンズ鏡筒を組み立てるときの工程を示す図である。
【図１１】比較用のレンズ鏡筒（前群レンズ鏡筒と後群レンズ鏡筒とが接近した状態）を示す断面図である。
【図１２】比較用のレンズ鏡筒（前群レンズ鏡筒と後群レンズ鏡筒とが離間した状態）を示す断面図である。
【符号の説明】
１              レンズ鏡筒
２              前群レンズ鏡筒
３              後群レンズ鏡筒
２０            前群レンズ
２１〜２３      レンズ
２４、２５      間隔リング
３０            後群レンズ
３１〜３３      レンズ
３４、３５      間隔リング
４              光軸
５              鏡筒本体
５１            熱かしめ部
５１１          熱変形部
５１２          突出部
５１３          傾斜面
５２            位置決め部
５２１          外周面
５３            フランジ
５３１、５３２  面
５４            嵌合部
５４１          外周面
５４２          内周面
６              鏡筒本体
６１            熱かしめ部
６１１          熱変形部
６１２          突出部
６１３          傾斜面
６２            位置決め部
６２１          外周面
６３            フランジ
６３１、６３２  面
６４            嵌合部
６４１          外周面
８１〜８４      治具
８１１、８３１  孔部
８１２、８３２  面
８１３、８３３  内周面
１００          レンズ鏡筒
２００          前群レンズ鏡筒
２１０          鏡筒本体
２２０          前群レンズ
２２１〜２２３  レンズ
２３０、２４０  熱かしめ部
２５０          フランジ
３００          後群レンズ鏡筒
３１０          鏡筒本体
３２０          後群レンズ
３２１〜３２３  レンズ
３３０、３４０  熱かしめ部
３５０          フランジ
４１０、４２０  シャフト
【図１】
0003902307.tif 000002
【図２】
0003902307.tif 000003
【図３】
0003902307.tif 000004
【図４】
0003902307.tif 000005
【図５】
0003902307.tif 000006
【図６】
0003902307.tif 000007
【図７】
0003902307.tif 000008
【図８】
0003902307.tif 000009
【図９】
0003902307.tif 000010
【図１０】
0003902307.tif 000011
【図１１】
0003902307.tif 000012
【図１２】
0003902307.tif 000013